(57)【要約】      （修正有）【課題】エステティック施術における心理的効果を著しく向上せしめる施設の設計思想を提供する。【解決手段】少なくとも２つの部屋からなり、一つは、カウンセリングのための部屋であって、エステティックに先立つカウンセリングを行うための椅子６とテーブル７を備え、前記椅子６とテーブル７はアイボリーホワイトに分類される色を塗工されている。もう一方はエステティック施術を行う為の部屋であって、クローゼットと、それに連続した着替える為のスペース２と、シャワーを浴びるべきスペース３と、角度可変性のベッド５とを備え、少なくともベッド５に影響を与える照明は光度調節装置を有し、エステティック施術を行うための部屋の色調はアイボリーホワイトに統一されており、且つ、着替えのためのスペース２の色とその他のスペースの色には少なくともΔＥが１以上存する。【選択図】図１
2008150892.tif 000002
【特許請求の範囲】
【請求項１】
エステティック施術を行う為の施設であって、少なくとも２つの部屋からなり、一つの部屋は、カウンセリングのための部屋であって、該カウンセリングのための部屋には、エステティックに先立つカウンセリングを行うための椅子とテーブルを備え、前記椅子とテーブルはアイボリーホワイトに分類される色を塗工されており、もう一方の部屋はエステティック施術を行う為の部屋であって、エステティック施術を行うための部屋には、クローゼットと、それに連続した着替える為のスペースと、シャワーを浴びるべきスペースと、角度可変性のベッドとを備え、少なくともベッドに影響を与える照明は光度調節装置を有し、エステティック施術を行うための部屋の色調はアイボリーホワイトに統一されており、且つ、着替えのためのスペースの色とその他のスペースの色には少なくともΔＥが１以上存することを特徴とする、エステティック施術を行うための施設。
【請求項２】
前記エステティック施術を行うための部屋は、更に、防音構造を有していることを特徴とする、請求項１に記載のエステティック施術を行うための施設。
【請求項３】
前記エステティック施術を行うための部屋は、更に、香気発生装置を有していることを特徴とする、請求項１又は２に記載のエステティック施術を行うための施設。
【請求項４】
更に、前記カウンセリングのための部屋と、前記エステティック施術を行うための部屋とは、香気発生装置を備えていても良い廊下で結ばれていることを特徴とする、請求項１〜３何れか１項に記載のエステティック施術を行うための施設。
【請求項５】
前記エステティック施術を行うための部屋は、周囲の色と異なる、周囲の面積の１％以下のアクセントカラーを有することを特徴とする、請求項１〜４何れか１項に記載のエステティック施術を行うための施設。
【請求項６】
前記アクセントカラーは、青色であることを特徴とする、請求項５に記載のエステティック施術を行うための施設。
【発明の詳細な説明】
【技術分野】
【０００１】
本発明は、エステティックサロンなどのエステティック施術を行うための施設に関する。
【背景技術】
【０００２】
近年に於いて、これまでに存した美理容施設は、エステティックサロンなどに置き換えられ、エステティックサロンはデパートなどにも進出し、その市民権は大きく拡大していると考えられる。（例えば、特許文献１、特許文献２、特許文献３、特許文献４、特許文献５を参照）これまでエステティック施術の目的とすることは美顔などの皮膚科学的な改善と向上であったが（例えば、特許文献６を参照）、近年それに加えて、リラクゼーションなどのメンタルケア的な側面を有するものが急増している。（例えば、特許文献７、特許文献８を参照）これはエステティックの価値の変遷とも言える。価値の変革に反して、エステティック施術を行うべき施設の設計思想は、施術機能の合理的な実施にのみ向けられており、施術実施施設とその心への効果の調和をはかる取り組みは行われてきていなかったし、その効果に合わせた施設の最適化設計も行われていないのが現状であった。
【０００３】
エステティック施術を行う施設に関する技術としては、複合施設の一部にエステティック施術可能なスペースを設ける技術が知られている。（例えば、特許文献９を参照）しかしながら、エステティックの心理的効果に特化して、エステティック施術を行う為の施設であって、少なくとも２つの部屋からなり、一つの部屋は、カウンセリングのための部屋であって、該カウンセリングのための部屋には、エステティックに先立つカウンセリングを行うための椅子とテーブルを備え、前記椅子とテーブルはアイボリーホワイトに分類される色を塗工されており、もう一方の部屋はエステティック施術を行う為の部屋であって、エステティック施術を行うための部屋には、クローゼットと、それに連続した着替える為のスペースと、シャワーを浴びるべきスペースと、角度可変性のベッドとを備え、少なくともベッドに影響を与える照明は光度調節装置を有し、エステティック施術を行うための部屋の色調はアイボリーホワイトに統一されており、且つ、着替えのためのスペースの色とその他のスペースの色には少なくともΔＥが１以上存する様に設計した施設については全く知られていないし、この様な構成の施設がエステティックの心理的効果を著しく高めることも全く知られていない。
【０００４】
【特許文献１】特開２００６−２６８２７３号公報
【特許文献２】特開２００５−１７４０１７号公報
【特許文献３】特開２００４−３３１６０４号公報
【特許文献４】特開２００３−０４３９３０号公報
【特許文献５】特開平０９−１０３４１３号公報
【特許文献６】特開２００４−３３１６０４号公報
【特許文献７】特開２００４−２２９９０５号公報
【特許文献８】特開２０００−１４０１１７号公報
【特許文献９】特開２００１−２０５６３号公報
【発明の開示】
【発明が解決しようとする課題】
【０００５】
本発明は、この様な状況下為されたものであり、エステティック施術における心理的効果を著しく向上せしめる施設の設計思想を提供することを課題とする。
【課題を解決するための手段】
【０００６】
この様な状況に鑑みて、本発明者らは、エステティック施術における心理的効果を著しく向上せしめる施設を求めて、種々設計の試行を重ねた結果、エステティック施術を行う為の施設であって、少なくとも２つの部屋からなり、一つの部屋は、カウンセリングのための部屋であって、該カウンセリングのための部屋には、エステティックに先立つカウンセリングを行うための椅子とテーブルを備え、前記椅子とテーブルはアイボリーホワイトに分類される色を塗工されており、もう一方の部屋はエステティック施術を行う為の部屋であって、エステティック施術を行うための部屋には、クローゼットと、それに連続した着替える為のスペースと、シャワーを浴びるべきスペースと、角度可変性のベッドとを備え、少なくともベッドに影響を与える照明は光度調節装置を有し、エステティック施術を行うための部屋の色調はアイボリーホワイトに統一されており、且つ、着替えのためのスペースの色とその他のスペースの色には少なくともΔＥが１以上存する様に設計した施設がこの様な目的に適合することを見いだし、発明を完成させた。即ち、本発明は以下に示すとおりである。
（１）エステティック施術を行う為の施設であって、少なくとも２つの部屋からなり、一つの部屋は、カウンセリングのための部屋であって、該カウンセリングのための部屋には、エステティックに先立つカウンセリングを行うための椅子とテーブルを備え、前記椅子とテーブルはアイボリーホワイトに分類される色を塗工されており、もう一方の部屋はエステティック施術を行う為の部屋であって、エステティック施術を行うための部屋には、クローゼットと、それに連続した着替える為のスペースと、シャワーを浴びるべきスペースと、角度可変性のベッドとを備え、少なくともベッドに影響を与える照明は光度調節装置を有し、エステティック施術を行うための部屋の色調はアイボリーホワイトに統一されており、且つ、着替えのためのスペースの色とその他のスペースの色には少なくともΔＥが１以上存することを特徴とする、エステティック施術を行うための施設。
（２）前記エステティック施術を行うための部屋は、更に、防音構造を有していることを特徴とする、（１）に記載のエステティック施術を行うための施設。
（３）前記エステティック施術を行うための部屋は、更に、香気発生装置を有していることを特徴とする、（１）又は（２）に記載のエステティック施術を行うための施設。
（４）更に、前記カウンセリングのための部屋と、前記エステティック施術を行うための部屋とは、香気発生装置を備えていても良い廊下で結ばれていることを特徴とする、（１）〜（３）何れか１項に記載のエステティック施術を行うための施設。
（５）前記エステティック施術を行うための部屋は、周囲の色と異なる、周囲の面積の１％以下のアクセントカラーを有することを特徴とする、（１）〜（４）何れか１項に記載のエステティック施術を行うための施設。
（６）前記アクセントカラーは、青色であることを特徴とする、（５）に記載のエステティック施術を行うための施設。
【発明の効果】
【０００７】
本発明によれば、エステティック施術における心理的効果を著しく向上せしめる施設を提供できる。
【発明を実施するための最良の形態】
【０００８】
本発明のエステティック施術を行うための施設は、少なくとも２つの部屋からなり、一つの部屋は、カウンセリングのための部屋であって、該カウンセリングのための部屋には、エステティックに先立つカウンセリングを行うための椅子とテーブルを備え、前記椅子とテーブルはアイボリーホワイトに分類される色を塗工されており、もう一方の部屋はエステティック施術を行う為の部屋であって、エステティック施術を行うための部屋には、クローゼットと、それに連続した着替える為のスペースと、シャワーを浴びるべきスペースと、角度可変性のベッドとを備え、少なくともベッドに影響を与える照明は光度調節装置を有し、エステティック施術を行うための部屋の色調はアイボリーホワイトに統一されており、且つ、着替えのためのスペースの色とその他のスペースの色には少なくともΔＥが１以上存することを特徴とする。
【０００９】
前記二つの部屋の内、カウンセリングを行う為の部屋の面積は、少なくとも２脚の椅子とテーブルが置けるスペースを有すれば良く、かかるスペースの要する面積は１〜５ｍ２であり、かかるスペースは、幾つかのスペースを同室内に配置して、例えば、受付ロビーのように他の接客スペースと共用することも出来る。前記テーブルと椅子とは同系色のアイボリーホワイトに統一しておくことが好ましい。ここでアイボリーホワイトとは、一般的に使用されている色分類に従えば良く、黄味を帯びた白色を意味し、具体的には日本色研事業株式会社製の色票１２５ｄのｏｆｆ  Ｎ−１からｏｆｆ  Ｎ−４の間におさまる色が好ましく例示できる。また同系色とは明確に色差を認識できても、同一系統であると認識できる色であり、色差ΔＥに換算して、１．５以内であることが好ましい。この部屋に於いてエステティックの施術に先立ちカウンセリングを行うが、該カウンセリングの持つ意味は、回避すべき施術の有無を知ることと、カウンセリングの心理的効果を向上させるために予め心の準備を被施術者に形成させることにある。被施術者によっては香気を感じることがリラクゼーションに著効を示す場合が存するので、予め、香の存在を好むか否か、或いは、香の種類はどのようなものであるかを質問によって知っておくことが好ましい。特定の好みの香が存し、香の効果があると判断された場合には、後記エステティック施術を行うための部屋に於いて香気発生装置を稼働させ、好みの香を存在させることも出来る。この様な操作により、エステティック施術効果を高めることが出来るので、この事前カウンセリングは意味深い。
【００１０】
更に、エステティック施術に先立つカウンセリングに於いては、被施術者の認識している施術の目的を正確に把握したり、施術者により、非施術者の肌の様子を正確に観察しておくことが重要であり、その為には、肌状態の観察の的確性を高め、且つ、心理的に鎮静の効果も有するアイボリーホワイトの色を印象の中に提示しておくことが肝要である。この様な提示方法としては、カウンセリング使用する椅子とテーブルとをアイボリーホワイトに塗工しておくことが好ましく例示できる。特にこの様な色をテーブルや椅子に採用することにより、視覚の対照効果により、吹き出物や微細な炎症を的確に検知することが出来る。以下に試験例を示す。
【００１１】
＜試験例１＞
テーブルの色を変えて被験者の顔の吹き出物の数を計数する際の色の影響を調べた。結果を表１に示す。これより、アイボリーホワイトにすることが特に肌トラブルなどの検知に好ましいことがわかる。
【００１２】
【表１】
2008150892.tif 000003
【００１３】
エステティックを行う為の部屋は、前記カウンセリングを行うための部屋と離れていても良いし、隣接していても良い。前記エステティック施術を行うための部屋は、少なくともクローゼットと、それに連続した着替える為のスペースと、シャワーを浴びるべきスペースと、角度可変性のベッドとを備え、少なくともベッドに影響を与える照明は光度調節装置を有し、エステティック施術を行うための部屋の色調はアイボリーホワイトに統一されており、且つ、着替えのためのスペースの色とその他のスペースの色には少なくともΔＥが１以上存することを特徴とする。クローゼットは少なくとも被施術者の体の幅以上の幅を有することが好ましく、具体的には７０〜１００ｃｍの幅を有することが好ましい。この幅が狭すぎると被施術者が圧迫感を感じ、カウンセリングによる緊張緩和を損なうことが存する為である。該クローゼットの中には施術時に装着すべきガウンなどの着替えが収納されており、施術に先立って被施術者はこの着替えに着替える。従って、クローゼットに隣接して着替えに充分なスペースが設けられることが必要であり、該スペースは１〜３ｍ２程度が好ましい。かかるスペースの床の色はアイボリーホワイトであるが、後記ベッドスペースの床の色と識別可能な色差を有することが好ましく、該色差はΔＥで１以上であることが好ましい。前記着替えスペースとの隣接辺とは異なる辺でクローゼットはシャワーのためのスペースと接していることが好ましい。シャワーのためのスペースは、床に、他のスペースに水が広がることなく、水を排水すべき流し構造を有する。所望によりシャワー使用時の水滴飛散防止するために、透明プラスチックで作製された扉によりシャワー内を密閉できる、シャワーユニットを使用することが出来、この様なシャワーユニットを採用することが好ましい。勿論シャワールームを別途設けて３室構造にすることも可能である。シャワースペースは１〜５ｍ２程度が好ましい。これらのクローゼット、着替えのためのスペース、シャワースペースと離れてベッドが設置されており、該ベッドは６５〜１２０ｃｍの幅で、１７５〜２２０ｃｍの奥行きのものが好ましく、ベッドの途中で折り曲げて、一部起立可能な構造を有しており、施術に応じてベッド状或いは椅子状に変形可能な構造を有することが好ましい。この様なベッドには既に市販のものが存し、この様な市販品を購入して設置できる。好ましい市販品としては、例えば、タカラベルモント社製の「ウェルネスベッドＳＣ−Ｃ３１Ｅ」、「リラクセーションチェアＢＭ−ＥＴＴ９」、「ＡＬＬ−ＲｏｕｎｄＧＰ  ＳＵ−２１ＣＧＰ」等が好適に例示できる。前記ベッドの周囲にはベッドからの距離５０〜１００ｃｍ程のスペースを設け、施術者の施術スペースとすることが好ましい。かかるベッドにはベッドカバーを施すことが好ましく、該ベッドカバーは周囲の壁のアイボリーホワイトの色調和すべく、周囲の壁の色との色差がΔＥで２以内であることが好ましい。１以上の色差を有し、壁の色との識別が可能であればアイボリーホワイトであっても構わない。また、施術時には所望により頭部、腹部に枕、クッションなど使用することが好ましく、この様な枕、クッション及びエステ用の備品、機器など収納すべ���収納棚をこの部屋に設けることが好ましい。この様な収納棚は、見えるところに設けることも出来るし、見えないように扉などで隠すことも出来る。
【００１４】
又、環境の設定について述べれば、被施術者によっては好みの香気の存在がエステティックによるリラクゼーション効果を向上せしめるので、香気発生装置を設けておくことが好ましい。香気発生装置としては、水と香油とを微弱な加熱で揮散させるアロマポットのようなアロマ装置や、棒状の練り香のように火を付けてくすぶらせることにより香気を生じせしめる装置、噴霧により香気を発生させる装置などが好適に例示できる。勿論日本古来の香炉も香気発生装置に分類される。この様な好適な香気を発生させるためには、香気成分を少なくとも数種類備えておくことが好ましい。香気の種類としては、フローラル、シプレ、オリエンタル、ローズ、グリーン、ムスクなどの基本香調に加えて、レモン、ラベンダー、ミント、ローズマリーなどの単味のリラクゼーションに好適な香料を揃えておくことが好ましい。更に、室温は２５〜３０℃前後に調整できるように空調設備を備えることが好ましい。空調手段は特段の限定はされないが、雑音、空気の流れによる冷感、温感が施術中の被施術者に及び影響を与えることを避けることが好ましく、この意味で暖房手段としては床暖房乃至はオイルヒーターを使用することが好ましい。又、室外の雑音は除去すべきであり、この意味で壁面には防音構造を備えることが好ましい。空の状況でかかる部屋は雑音のレベルが２０ｄＢ以下、より好ましくは１５ｄＢ以下に制御されていることが好ましい。バックグラウンドミュージックに関しては、効果を奏する場合と、奏しない場合が存し、奏する場合に於いては流すことを本発明では排除しない。照明は、施術の種類により適宜変化させることが効果を高めることが出来るので、スライダック形式の照明の可変装置を装備して、調整することが好ましい。照明は白熱電球、クリプトン電球、ハロゲン電球などの光源のみ或いはこれらの光源と蛍光灯とを混合した形にして、光度調整可能な形態とすることが好ましい。壁面はカウンセリングのための部屋もエステティック施術を行うための部屋もアイボリーホワイト系の色で塗工されていることが好ましく、この二つの部屋の壁面の色には目視で確認できる色差が存することが好ましい。具体的には色票で０．５程度の差、色差ΔＥで１程度の差があることが好ましい。又、エステティック施術のための部屋には、同一系の色の作り出す圧迫感を回避するために、壁面の１％以下の面積で、明確に区別できる色のアクセントカラーを配することが好ましい。アクセントカラーとしては、青色のものが好ましく、前記色票において、Ｖ１８〜Ｖ２０に分類される色のものが好ましい。具体的にはかかる色のロゴなどを壁面に掲げることが好ましい。
【００１５】
前記カウンセリングのための部屋とエステティック施術を行うための部屋とは隣接していて、直接出入りが出来る構造でも良いし、廊下などを介して接続していても良い。又、一つのカウンセリングのための部屋が廊下を介して複数のエステティック施術のための部屋と接続することも可能である。この様な形態に於いては、廊下の奥によった部分に１つ乃至は２つの香気発生装置を設け、奥に配置した香気発生装置を設備したエステティック施術を行うための部屋に接続する様にし、手前には香気発生装置を備えないエステティック施術を行うための部屋を配置するような構造を取れば、香気が効果を奏する被施術者にも対応できるし、香気を嫌う被施術者に対応することも出来る。廊下より香気を被曝せしめることにより、香気の効果を高めることも出来る。
【００１６】
＜作用＞
本発明のエステティック施術のための施設は、エステティック施術の心理面でのリラクゼーションなどの効果を最大限引き出すことが出来る。これは、施術に取りかかる前に被施術者に施術受け入れの心理的体制を準備せしめることが出来るためである。この様に心理的効果を高めることにより、この心理学的効果により皮膚状態の改善効果も得られる。
【００１７】
以下に、実施例を挙げて、本発明について更に詳細に説明するが、本発明がかかる実施例にのみ限定されないことは言うまでもない。
【実施例１】
【００１８】
図１に示す、本発明のエステティック施術のためのモデルルームを作製した。ドアを通ってカウンセリングのための部屋に入るこの部屋の壁面、天井はｏｆｆ  Ｎ−３の色で塗工されおり、椅子（６）とテーブル（７）はｏｆｆ  Ｎ−１の色で塗工されている。空調のためのエアコンディショナー（８）は壁面上部に配置されている。このカウンセリングのための部屋の奥のドアはエステティック施術のための部屋に通じており、この部屋はドア左手奥にカーテン１０で仕切り可能なｏｆｆ  Ｎ−１の色で塗工されている、クローゼットを備えた、床の色がｏｆｆ  Ｎ−１．５の色で塗工されている着替えのためのスペース（２）、底面に流し構造を有するシャワースペース３を配置している。シャワースペースの底面は堀込んだ構造でガラス繊維で強化されたポリプロピレンで出来ている。この壁面にはシャワーヘッドを有する。この部分以外のベッドスペースを含む施術のための部屋の壁面、天井はｏｆｆ  Ｎ−２の色で塗工されている。中央に、中央で独立的に折り曲げ可能な構造を有するベッド（５；「ウェルネスベッドＳＣ−Ｃ３１Ｅ」）を配し、このベッドのカバーはオフホワイトの色に調整されている。又、空調は底面に埋め込まれたエアコンディショナー４によって行う。１１にはＶ１９の色で作製されたロゴ（全壁面面積の０．０２％）が掲げられており、被施術者の圧迫感を取り除いている。ドア突き当たりの壁面、底部より１．２ｍには照明の可変装置が配され、これにより、天井に設けられた６つのスポットライト形式のクリプトン電球（９０Ｗ）の照明の光度が調整される。又、壁面内部には防音処置が施されており、密閉状態で音源が存しない場合には、その騒音レベルは３〜７ｄＢであった。
【００１９】
＜試験例＞
上記本発明の施設の効果を試験により確かめた。エステティック施術を希望するボランティア１０名を集め、内５名を用いて、本施設でカウンセリングを行った後に、クレンジング、洗顔、マッサージのフェイシャルエステティック施術を行い、しかる後に、デコルテ部への施術、位置を変えて背面への施術を行った。施術後、施術の効果をアンケートによって調査した。アンケートは施術に対する満足度、リラックスの実感、肌の状態の改善度を非常に良かった、良かった、可もなく不可もなく、悪い、非常に悪いの５段階で評価してもらった。同様に施術のための部屋の壁面をピンク色に塗工した比較例の施設で同様の試験を残りのボランティア５名を使用して行った。これらの結果を表２に示す。これより本発明の施設の効果が実証された。又、リラックス効果の向上により皮膚状態も改善度が高まることも確認された。
【００２０】
【表２】
2008150892.tif 000004
【産業上の利用可能性】
【００２１】
本発明は、エステティックに応用できる。
【図面の簡単な説明】
【００２２】
【図１】実施例１の本発明の施設の構造を示す図である。
【図１】
2008150892.tif 000005